(57)【要約】【課題】携帯端末同士が、お互いの待受け画面に同様の写真や動画等のコンテンツを直接自動で表示や再生をして共有すること。【解決手段】本願に係る制御プログラム又は装置は、設定部と、抽出部と、送信部と、受信部と、表示部とを備える。  送信ユーザーは、制御プログラム内の設定部で共有する写真等のコンテンツ種別等を設定する。  送信ユーザーと受信ユーザーは、制御プログラム内の設定部で、送信端末と受信端末をマッチングする為の認証設定等を行う。  送信端末内から抽出された写真等を、送信端末からサーバにアップロードすると同時に送信端末自身の待受け画面に表示する。  送信端末がサーバにアップロードした写真等を、サーバを介して、受信端末にダウンロードし、受信端末が受信すると同時に、受信端末の待受け画面に表示する。【選択図】図１
2020149655.tif 000002
【特許請求の範囲】
【請求項１】
第１携帯端末内に存在するコンテンツを、第２携帯端末の画面に表示する表示制御装置であって、
携帯端末内のコンテンツをサーバにアップロードする送信部と、
前記サーバにアップロードされたコンテンツを、ダウンロードする受信部と、
前記ダウンロードしたコンテンツを、そのダウンロードした携帯端末の画面に自動で表示する表示部と、
を有する装置。
【請求項２】
携帯端末内のコンテンツをサーバにアップロードする送信部を自動化した、請求項１に記載の装置。
【請求項３】
携帯端末内からサーバにアップロードするコンテンツ種別を指定する手段を有した請求項１又は２に記載の装置。
【請求項４】
指定したコンテンツ種別を携帯端末内から抽出する手段を有した請求項１から３のいずれかに記載装置。
【請求項５】
抽出されたコンテンツを加工する手段を有した請求項１から４のいずれかに記載の装置。
【請求項６】
コンテンツをサーバにアップロードする第１携帯端末と、そのアップロードされたコンテンツをダウンロードする第２携帯端末とを、特定の文字列を用いて認証する手段を有する請求項１から５のいずれかに記載の装置。
【請求項７】
携帯端末内のコンテンツをサーバにアップロードするタイミングと同時に、自身の携帯端末の画面にそのコンテンツを自動で表示する手段を有する請求項１から６のいずれかに記載の装置。
【請求項８】
コンテンツ送信端末である第１携帯端末は、コンテンツ受信端末にもなることができ、前記コンテンツを受信する第２携帯端末が、コンテンツ送信端末にもなることができる手段を有する請求項１から７のいずれかに記載の装置。
【請求項９】
複数の携帯端末がコンテンツ受信端末となることができる手段を有する請求項１から８のいずれかに記載の装置。
【請求項１０】
コンテンツ受信端末を指定することができる手段を有する請求項１から９のいずれかに記載の装置。
【請求項１１】
第１携帯端末、第２携帯端末共に、お互いの携帯端末内に存在するコンテンツを送受信して、お互いの画面に表示し合うことができる手段を有する請求項１から１０のいずれかに記載の装置。
【請求項１２】
携帯端末とサーバとを備え、第１携帯端末内に存在するコンテンツを、第２携帯端末の画面に表示するシステムであって、
前記携帯端末は、
携帯端末内にあるコンテンツをサーバにアップロードする送信部と、
前記携帯端末からサーバにアップロードされたコンテンツを、ダウンロードする受信部と、
前記ダウンロードしたコンテンツを、そのダウンロードした携帯端末の画面に自動で表示する表示部と、
を有し、
前記サーバは、
前記携帯端末が送信したコンテンツを受信する受信部と、
前記受信部が受信したコンテンツを送信する送信部と、
を有するシステム。
【請求項１３】
第１携帯端末内に存在するコンテンツを、第２携帯端末の画面に表示させるプログラムであって、
携帯端末内のコンテンツをサーバに送信してアップロードする手順と、
前記サーバにアップロードされたコンテンツを、ダウンロードして受信する手順と、
前記ダウンロードして受信したコンテンツを、ダウンロードして受信した携帯端末の画面に自動で表示する手順と、
を実行させる制御プログラム。
【請求項１４】
携帯端末とサーバとを備え、第１携帯端末内に存在するコンテンツを、第１携帯端末と第２携帯端末の画面に表示するシステムであって、
前記携帯端末は、
携帯端末内にあるコンテンツをサーバにアップロードする送信部と、
前記サーバに記憶されたコンテンツから携帯端末に送信するコンテンツの種別を指定する設定部と、
前記サーバから送信されるコンテンツを受信する受信部と、
前記受信したコンテンツを自身の画面に自動で表示する表示部と、
を有し、
前記サーバは、
前記携帯端末が送信したコンテンツを受信する受信部と、
前記携帯端末の設定部が指定した対象コンテンツを抽出する抽出部と、
前記抽出部が抽出したコンテンツを携帯端末に送信する送信部と、
を有するシステム。
【請求項１５】
サーバ上から配信されるコンテンツを加工する手段を有した請求項１４に記載の装置。
【請求項１６】
複数の携帯端末がコンテンツ受信端末となることができる手段を有する請求項１４又は１５に記載のシステム。
【請求項１７】
コンテンツ受信端末を指定することができる手段を有する請求項１４から１６のいずれかに記載の装置。
【請求項１８】
第１携帯端末、第２携帯端末共に、お互いの携帯端末内に存在するコンテンツを送受信して、お互いの画面に表示し合うことができる手段を有する請求項１４から１７のいずれかに記載のシステム。
【発明の詳細な説明】
【技術分野】
【０００１】  本発明はモバイル通信の分野に関して、ユーザーが利用するスマートフォン等の携帯端末のロック画面やホーム画面等のいわゆる待ち受け画面上やそれらの背景画面に表示される写真や画像や動画等のコンテンツを、他の人のスマートフォン等の携帯端末の待ち受け画面上にも自動で表示して共有する為の方法に関するものである。
【背景技術】
【０００２】  現在は、ほぼ全てのスマートフォン等の携帯端末に高画素を有するカメラが実装されており、人々は常に日々大量の写真を撮影している。多くの人々が、自身のスマートフォンで撮影した写真やインターネット上等から入手した写真や画像等を、自身のスマートフォン等の端末のロック画面やホーム画面、いわゆる待ち受け画面に表示して楽しんでいる。【０００３】  またスマートフォン以外の端末で撮影した写真、例えばデジタルカメラ等で撮影した写真等を、自身や知人のスマートフォン等にメール等で転送して、その写真を受信して手動で都度待ち受け画面に表示したりもしている。
【先行技術文献】
【特許文献】
【０００４】
【特許文献１】特表２０１７−５０９９９２
【特許文献２】特開２０１６−６２５６１
【発明の概要】
【発明が解決しようとする課題】
【０００５】  上記のようないわゆる待ち受け画面に写真を表示するニーズにおいて、自身の携帯端末の待ち受け画面に表示されている写真を、他の人の待ち受け画面にも表示したい場合がある。例えば、自身の子供の写真を自身のスマートフォンの待ち受け画面に表示するのと同時に、その写真を遠く離れた両親等の家族のスマートフォンの待ち受け画面にも表示したい場合等がある。【０００６】  しかしながら、ＡさんがＡさん自身のスマートフォンの待ち受け画面に表示している写真等を、Ｂさんのスマートフォンの待ち受け画面に自動で同時に表示することは不可能である。【０００７】  現状では、Ａさんが待ち受け画面に設定している写真等の画像データを、ＡさんがＢさん宛てにメール添付やメッセージングアプリ等で送信して、その写真を受信したＢさんは写真を受信したアプリケーションを立ち上げて、写真を自身のスマートフォン内に保存してから、自らのスマートフォンの待ち受け画面に表示されるように、スマートフォンの設定メニューから都度手動で待ち受け画面に表示する為の表示設定を行わなければならない。この方法は送信者Ａさんと受信者Ｂさん共に都度手動で複数の操作を行う必要がある等、非常に手間がかかり、またどうしても送受信のタイミングによりタイムラグが生じて同時性を満たすことはできない。【０００８】  また待ち受け画面の写真を自動で表示切換えを行うアプリケーションは存在するが、それらは待ち受け画面に表示する写真等の画像データを、配信事業者等がＰＣやサーバ等の専用端末から、複数ユーザーの携帯端末向けに一方的に配信するものであったり、またはユーザー自身の端末内にある写真等を自身の携帯端末の待ち受け画面にのみ、自動で表示切替しているものであって、個人のユーザーが利用する携帯端末間で写真の送受信を行い、お互いの携帯端末の待ち受け画面に同じ写真を自動で表示したりすることはできない。【０００９】  そこで本発明は、ユーザー同士がスマートフォン等の携帯端末の待ち受け画面上に表示される写真や画像や動画等のコンテンツを自動で同時に他のスマートフォン等の携帯端末の待ち受け画面にも表示して共有することを可能にするものである。
【課題を解決する為の手段】
【００１０】  本発明の第１の態様は、第１携帯端末内に存在するコンテンツを、第２携帯端末の画面に自動で表示したり、表示切替を行う装置であって、
第１携帯端末内にあるコンテンツを、サーバへアップロードする送信部と、
第１携帯端末からアップロードされたコンテンツを、第２携帯端末がダウンロードする受信部と、
そのダウンロードしたコンテンツを、ダウンロードした携帯端末の画面に自動で表示する表示部を機能させる。
上記「送信部」「受信部」「表示部」はステップにもなるし、手段にもなる。
【００１１】  第１携帯端末内のコンテンツを送信する送信部を、ユーザーが手動で都度送信するのではなく、自動でサーバへ送信してアップロードするように自動化してもよい。
【００１２】  第１携帯端末の制御部内にある設定部で、第１携帯端末の中にあるコンテンツの中から、サーバにアップロードするコンテンツの種別をユーザーが指定することができるようにしてもよい。例えば、動画等のデータ種別であったり、特定人物が映った写真、等である。
【００１３】  第１携帯端末の制御部内にある抽出部で、前記設定部において指定したコンテンツ種別を、第１携帯端末内に存在するコンテンツの中から抽出することができるようにしてもよい。
【００１４】  第１携帯端末内から抽出されたコンテンツを、制御部内にある加工部で加工できるようにしてもよい。例えばフィルター等を用いて加工し、見栄えがよくなるようにする、等である。
【００１５】  第１携帯端末と、第２携帯端末を、当人同士だけが知りえる文字列でマッチングして認証することができるようにしてもよい。
【００１６】  第１携帯端末において、抽出部から抽出されたコンテンツを送信する送信部の送信処理と、自身の携帯端末に表示する為の表示部の表示処理を同時に行うようにしてもよい。
【００１７】  送信端末である第１携帯端末は受信端末になることもでき、また受信端末である第２携帯端末は送信端末になることができるようにしてもよい。つまり利用者が携帯端末で用いる制御部は、送信側機能も受信側機能も有しているようにしてもよい。
【００１８】  第１携帯端末が送信するコンテンツを、複数の携帯端末が受信できるようにしてもよい。
【００１９】  コンテンツを受信することができる端末を、第１携帯端末で指定することができるようにしてもよい。
【００２０】  第１携帯端末内のコンテンツを第２携帯端末の画面に表示するだけでなく、第２携帯端末内のコンテンツも第１携帯端末の画面に表示するようにして、お互いの携帯端末内にあるコンテンツを、お互いに送受信しあって、お互いの画面に表示されるようにしてもよい。
【００２１】  本発明の第２の態様は、携帯端末とサーバとを備え、第１携帯端末内に存在するコンテンツを、第１携帯端末と、第２携帯端末の画面に自動で表示したり表示切替を行う仕組みを有するものであって、
前記携帯端末は、
携帯端末内にあるコンテンツを、サーバにアップロードする送信部と、
サーバ上に記憶した記憶部内のコンテンツの中から抽出するコンテンツ種別を指定する設定部と、
サーバから送信されたコンテンツをダウンロードして受信する受信部と、
ダウンロードして受信したコンテンツを、待ち受け画面に表示再生する表示部と、
を機能させ、
前記サーバは、
前記第１携帯端末から送信されたコンテンツを受信する受信部と、
前記第１携帯端末の設定部で指定された条件のコンテンツを抽出する抽出部と、
抽出されたコンテンツを、第１携帯端末と１つ以上の他の携帯端末に送信する送信部と、
を機能させる。
上記の各部位は、はステップにもなるし、手段にもなる。
【００２２】  サーバから配信されるコンテンツを、フィルター等を用いてサーバ上で加工して見栄えがよくなるようにしても良い。
【００２３】  本発明の第３の態様は、第１携帯端末内に存在するコンテンツを第２携帯端末の画面に自動で表示し、又、第２携帯端末内に存在するコンテンツも第１携帯端末の画面に自動で表示して、双方のコンテンツを送受信しあって、双方の画面に自動で表示したり、表示切替を行う仕組みを有するものであって、
双方の携帯端末内にあるコンテンツを、双方の携帯端末からサーバへアップロードする送信部と、
双方の携帯端末からアップロードされたコンテンツを、双方の携帯端末がダウンロードする受信部と、
そのダウンロードしたコンテンツを、ダウンロードした携帯端末の画面に自動で表示する表示部を機能させる。
上記「送信部」「受信部」「表示部」はステップにもなるし、手段にもなる。
【発明の効果】
【００２４】  上記のように構成された装置あるいはシステムや方法によれば、
第１携帯端末の画面に表示されているコンテンツを、第２携帯端末の画面にも自動で同時に表示したり、
第１携帯端末の画面に表示されているコンテンツを、他の複数の携帯端末の画面にも自動で同時に表示したり、
第１携帯端末内に存在するコンテンツを第２携帯端末の画面に自動で表示し、又、第２携帯端末内に存在するコンテンツを第１携帯端末の画面に自動で表示して、双方のコンテンツを送受信しあって、双方の画面に自動で同時に表示したり、
することができる。
【図面の簡単な説明】
【００２５】
【図１】当システムの第１の態様の全体概要図
【図２】当システムの第１の態様のユーザー操作フローチャート
【図３】当システムの第２の態様の全体概要図
【図４】当システムの第２の態様のユーザー操作フローチャート
【図５】当システムにおいて双方のホーム画面に写真が表示されているイメージ
【図６】当システムにおいてロック画面に写真が表示されているイメージ
【図７】当システムにおいてホーム画面に写真が表示されているイメージ
【発明を実施する為の形態】
【００２６】  まず最初に、本発明における語彙について説明する。
本発明において「携帯端末」とは、スマートフォンや携帯電話、タブレット等の他にも、通信機能を有し画像や動画や音声等のコンテンツを表示再生する機能を有するものであればいかなるものでもよい。例えば通信機能付きのフォトフレームやテレビ、パソコン等も該当する。
また後付けの外部接続品により通信機能を有した前記の端末等も該当する。
その他にも、表示画面を備えた冷蔵庫や電子レンジ等、通信機能とコンテンツ等を表示する画面を有した電化製品等も該当する。
【００２７】  本発明において「第１携帯端末」とは、自身の携帯端末内にあるコンテンツを送信する携帯端末のことであり、コンテンツ送信者であるユーザーが利用する携帯端末の事を意味する。
【００２８】  本発明において「第２携帯端末」とは、前記第１携帯端末から送信されるコンテンツを受信する携帯端末のことであり、コンテンツ受信者であるユーザーが利用する携帯端末の事を意味する。
またこの第２携帯端末は１台とは限らず、複数台存在する場合もある。
【００２９】  本発明において「コンテンツ送信端末」とは前記第１携帯端末のことである。
【００３０】  本発明において「コンテンツ受信端末」とは前記第２携帯端末のことである。
またこのコンテンツ受信端末は１台とは限らず、複数台存在する場合もある。
【００３１】  本発明において「認証」とは、第１携帯端末と、第２携帯端末をマッチングしてコンテンツを共有し合う携帯端末同士を結びつけることができるものであればいかなるものでもよい。
例えば、利用者だけが知り得る文字列からなる秘密の合言葉を用いた認証や、ＩＤとパスワードを用いた認証、指紋認証、顔認証、声紋認証等である。
また１対１のマッチングだけには限らず、コンテンツを共有する複数名を認証することもある。
【００３２】  本発明において「画面」とは、いわゆる待ち受け画面のことであり、携帯端末の表示画面において、
何の操作もしていない待機状態の時に表示される画面、
アプリケーションアイコンが並んでいる画面、
画面ＯＦＦ状態において電源ボタンを押下し画面が点灯した時に表示される復帰画面、
端末がロック中の画面、
端末ロックを解除する為の画面、
ユーザーの操作待ちであるスタンバイ状態の画面、
携帯端末内の特定アプリケーション稼働時における背景画面、
スリープ状態からアクティブ状態へと切り替え、活性化状態になった画面、
アクティブ状態への切り替えによって提供されるファーストスクリーン、
等のことであって、必ずしも特定の画面を意味するものではない。要するに特定のアプリケーションが稼働して全画面表示されている状態以外の画面であればいかなるものでもよい。
つまりこれらの画面は総じて待ち受け画面と言われるが、例えば、ロック画面、ホーム画面、デスクトップ画面、背景画面、スタンバイ画面、ファースト画面、または当コンテンツを表示する為の専用表示画面等のことである。
【００３３】  本発明において「コンテンツ」とは、携帯端末内に存在する各種データのことを意味するものであって、必ずしも写真等の特定データに限られるものではなく、例えば写真、画像、動画、音声、テキスト、等としてもよい。要するに携帯端末内に存在するデータであって、携帯端末上で表示再生可能であるデータであればいかなるものでもよい。
【００３４】  本発明において、コンテンツの「加工」とは、待ち受け画面に表示されることとなる写真や画像や動画等のコンテンツのデータを調整や編集をして、画面上での表示又は再生において見栄えを良くしたり最適化したりすることを意味するものであって、必ずしも特定の加工行為を意味するものではない。
例えば、フィルターを適応して写真の色調や明度や彩度や露出等を変更したり、動画の再生尺度や再生スピードを変更したりである。
またこの「加工」はあらかじめ設定されている加工プログラム（例えば写真加工フィルター等）をユーザー自らが手動で選択して加工する場合もあり、又コンテンツをプログラムで解析してユーザー自らの操作を必要とすることなく自動で加工する場合等もある。
【００３５】  次に、図１を用いて、本発明に係るシステムの第１の態様の一実施形態を説明する。
まずは各構成要素についてを説明する。
本システムは、第１携帯端末１と、第２携帯端末２と、サーバ３を備え、第１携帯端末１と、第２携帯端末２の画面に同様の写真や動画等のコンテンツを自動で表示させる仕組みである。
第１携帯端末１と、サーバ３と、第２携帯端末２は、インターネット等の通信ネットワークによって接続され、お互いの通信を可能にしている。
なお図１では、第２携帯端末２は１台のように図示されているが、１つ以上であればその台数に制限はない。
図１は、第１携帯端末１が送信端末となり、第２携帯端末２が受信端末となった場合を図示したものである。
【００３６】  図１に記載されている第１携帯端末１とは、事業者等の業務用端末ではなく、個人が利用するスマートフォン等の携帯端末のことであり、コンテンツ送信端末を意味する。
【００３７】  図１に記載されている第１携帯端末１は、入力部１１と、記憶部１２と、データ取得部１３と、カメラ１４と、外部メモリ１５と、表示画面１６と、無線部１７と、制御部１８と、を備える。
ちなみに、この各部位のみを備えた携帯端末を意味するのではなく、携帯端末における複数機能部位において、これらの各部位を最低限備えた携帯端末という意味である。
【００３８】  図１に記載されている入力部１１は、例えばボタンや表示画面１６に配置されているタッチパネル（接触センサ）等により構成されており、携帯端末のユーザーから操作入力を受け付ける。
【００３９】  図１に記載されている記憶部１２は、例えばＲＯＭ及びＲＡＭ等により構成される。
記憶部１２は、携帯端末を機能させるための各種プログラムを記憶する。例えば、第１携帯端末１の制御部１８にあたるアプリケーションプログラム等を記憶する。
記憶部１２は、写真や動画等のコンテンツデータを記憶する。例えば、携帯端末に備え付けられたデータ取得部１３、カメラ１４、外部メモリ１５等から取得されたり生成されたりしたデータ等を記憶する。
【００４０】  図１に記載されているデータ取得部１３とは、例えばブラウザーやアプリケーション等のクライアントソフトにより、インターネットに接続して、インターネットを介してデータを取得する。例えば、写真共有サービスにアクセスして写真データを取得したり、動画配信サービスアプリを利用して動画データを取得したりする。取得したデータは記憶部１２に記憶される。
【００４１】  図１に記載されているカメラ１４とは、スマートフォン等の携帯端末に実装されており、写真や動画や音声等を、撮影や録音することができるものである。
【００４２】  図１に記載されている外部メモリ１５とは、携帯端末外の記憶装置であり、携帯端末に接続や挿入して用いる取り外しが可能な記憶装置である。例えばＳＤカード、ＵＳＢフラッシュメモリ等であり、外部メモリ内のデータを記憶部１２に記憶したり、記憶部１２に記憶せずにそのまま外部メモリ１５を参照してデータを扱ったりもする。
【００４３】  図１に記載されている表示画面１６は、例えば液晶ディスプレイや有機ＥＬ（Ｅｌｅｃｔｒｏ−Ｌｕｍｉｎｅｓｃｅｎｃｅ）ディスプレイ等により構成され、特定の仕様の表示画面を意味するものではない。つまり携帯端末に実装されており、利用者が表示された内容を閲覧したり、画面に触れて操作したりする、携帯端末に実装されている一般的な画面の事である。
表示画面１６は、制御部１８やＯＳ等の制御に応じて写真や動画、画像、テキスト等のコンテンツを表示、再生する。
動画等に付随する音声の場合は、携帯端末に実装されているスピーカー等から出力される。
【００４４】  図１に記載されている無線部１７は制御部１８やＯＳ等から出力された信号を変調してＲＦ信号を生成し、アンテナを介して当該ＲＦ信号を基地局又は無線ＬＡＮ等のアクセスポイントに無線送信する。
無線部１７はアンテナを介して基地局又はアクセスポイントから受信したＲＦ信号を復調し、復調により得た信号を制御部１８やＯＳ等に出力する。以下の説明において、携帯端末は無線部１７を介しサーバと通信を行うものとする。
【００４５】  図１に記載されている制御部１８とは、前記第１携帯端末１にインストールして利用するアプリケーションであり、制御部１８内の設定に応じて、送信端末になることもでき、受信端末にもなることができる。
つまり制御部１８と、制御部２８は同一のアプリケーションであるが、当発明を説明するうえで、図１においては制御部１８と制御部２８を別番号で図示している。
【００４６】  図１に記載されている設定部１８１とは、当装置の各種挙動や動作等を設定するものである。
「コンテンツ種別設定」：自身の携帯端末内（記憶部１２や外部メモリ１５等）に存在するコンテンツの中から、自身の携帯端末の待ち受け画面（表示画面１６）や、その他の携帯端末の待ち受け画面に表示するコンテンツの種別を指定する。例えば、写真や動画等のデータ種別であったり、又は特定人物が映っている等の特定条件を満たす写真や動画等である。
「認証設定」：自身の携帯端末（第１携帯端末１）と、その他の携帯端末をマッチングして認証する為の設定をする。例えば、当人達だけが知りえる文字列等からなる秘密の合言葉や、ＩＤ／パスワード等の様々な認証方法である。
「加工設定」：抽出されたコンテンツの編集や加工をする為の内容を設定する。例えば、コンテンツ加工を施すフィルターを設定したり、加工するコンテンツの対象物を指定したりする。
【００４７】  図１に記載されている抽出部１８２とは、前記設定部１８１で指定したコンテンツ種別を、自身の携帯端末の中から抽出する手段を有するものである。
【００４８】  図１に記載されている加工部１８３とは、前記抽出部１８２で抽出されたコンテンツを、前記設定部１８１で設定した要件にて編集や加工をする手段を有するものである。
【００４９】  図１に記載されている送信部１８４とは、前記抽出部１８２が抽出して前記加工部１８３が加工したコンテンツを、無線部１７を通してサーバ３へ送信してアップロードすることを制御するものである。
加工を行わない場合は、加工部１８３の処理はスキップされて、抽出部１８２で抽出されたコンテンツがサーバ３へ送信される。
【００５０】  図１に記載されている受信部１８５とは、サーバ３にあるコンテンツを、無線部１７を通して受信してダウンロードすることを制御するものである。
【００５１】  図１に記載されている表示部１８６とは、前記抽出部１８２が記憶部１２や外部メモリ１５等から抽出したコンテンツや、抽出して加工部１８３で加工されたコンテンツや、前記受信部１８５が受信してダウンロードしたコンテンツを、表示画面１６（自身の待ち受け画面等）に表示することを制御するものである。
【００５２】  図１に記載されている第２携帯端末２とは、事業者等の専用端末等ではなく、個人が利用するスマートフォン等の携帯端末のことであり、コンテンツ受信端末を意味する。
【００５３】  図１に記載されている第２携帯端末２は、入力部２１と、記憶部２２と、データ取得部２３と、カメラ２４と、外部メモリ２５と、表示画面２６と、無線部２７と、制御部２８と、を備える。
ちなみに、この各部位のみを備えた携帯端末を意味するのではなく、携帯端末における複数機能部位において、これらの各部位を最低限備えた携帯端末という意味である。
【００５４】  図１に記載されている入力部２１と、記憶部２２と、データ取得部２３と、カメラ２４と、外部メモリ２５と、表示画面２６と、無線部２７は、前記「００３８」〜「００４４」で説明した内容と同等である。
【００５５】  図１に記載されている制御部２８とは、前記第２携帯端末２にインストールして利用するアプリケーションであり、制御部２８内の設定に応じて、受信端末になることもでき、送信端末にもなることができる。つまり制御部２８と、制御部１８は同一のアプリケーションであるが、当発明を説明するうえで、図１においては制御部２８と制御部１８を別番号で図示している。
【００５６】  図１に記載されている設定部２８１とは、当装置の各種挙動や動作等を設定するものである。
「コンテンツ種別設定」：自身の携帯端末内（記憶部２２や外部メモリ２５等）に存在するコンテンツの中から、自身の携帯端末の待ち受け画面（表示画面２６）や、その他の携帯端末の待ち受け画面に表示するコンテンツの種別を指定する。例えば、写真や動画等のデータ種別であったり、または特定人物が映っている等の特定条件を満たす写真や動画等である。
「認証設定」：自身の携帯端末（第２携帯端末２）と、その他の携帯端末をマッチングして認証する為の設定をする。例えば、当人達だけが知りえる文字列等からなる秘密の合言葉や、ＩＤ／パスワード等の様々な認証方法である。
「加工設定」：抽出されたコンテンツの編集や加工をする為の内容を設定する。例えば、コンテンツ加工を施すフィルターを設定したり、加工するコンテンツの対象物を指定したりする。
【００５７】  図１に記載されている抽出部２８２とは、前記設定部２８１で指定したコンテンツ種別を、自身の携帯端末の中から抽出する手段を有するものである。
【００５８】  図１に記載されている加工部２８３とは、前記抽出部２８２で抽出されたコンテンツを、前記設定部２８１で設定した要件にて編集や加工をする手段を有するものである。
【００５９】  図１に記載されている送信部２８４とは、前記抽出部２８２が抽出して前記加工部２８３が加工したコンテンツを、無線部２７を通してサーバ３へ送信してアップロードすることを制御するものである。
加工を行わない場合は、加工部２８３の処理はスキップされて、抽出部２８２で抽出されたコンテンツがサーバ３へ送信される。
【００６０】  図１に記載されている受信部２８５とは、サーバ３にあるコンテンツを、無線部２７を通して受信してダウンロードすることを制御するものである。
【００６１】  図１に記載されている表示部２８６とは、前記抽出部２８２が記憶部２２や外部メモリ２５等から抽出したコンテンツや、抽出して加工部２８３で加工されたコンテンツや、前記受信部２８５が受信してダウンロードしたコンテンツを、表示画面２６（自身の待ち受け画面等）に表示することを制御するものである。
【００６２】  図１に記載されているサーバ３とは、第１携帯端末１からアップロードされたコンテンツを、第２携帯端末２がダウンロードすることができる手段を有するものである。
サーバ３は、通信部３１と、記憶部３２と、制御部３３とを備える。
ちなみに、この各部位のみを備えたサーバを意味するのではなく、サーバにおける複数機能部位において、これらの各部位を最低限備えたサーバという意味である。
【００６３】  図１に記載されている通信部３１は、有線等によって外部機器との通信を行う。
例えば通信部３１は、制御部３３の制御に応じて、インターネット等の通信ネットワークや、携帯端末の基地局等を介して第１携帯端末１や第２携帯端末２との通信を行う。
なお、経路を分かりやすく図示する為に、通信部３１は二つに分けて記しているだけであり、通信部が二つあるという意味ではない。
【００６４】  図１に記載されている記憶部３２は、例えば、ＲＯＭ及びＲＡＭ等により構成される。
記憶部３２は、サーバを機能させるための各種プログラム等を記憶する。
記憶部３２は、第１携帯端末１がアップロードした写真や動画等のコンテンツデータを記憶する。
【００６５】  図１に記載されている制御部３３とは、前記サーバ３内で稼働するプログラムである。
制御部３３は、例えば、ＣＰＵ等により構成される。制御部３３は、記憶部３２に記憶されている各種プログラムを実行することにより、サーバ３に係る機能を統括的に制御する。
第１携帯端末１からアップロードされたコンテンツを、第２携帯端末２がダウンロードすることを可能とするために、コンテンツの送受信の制御や、第１携帯端末１と第２携帯端末２のマッチング等の認証の制御等を行う。
【００６６】  図１に記載されている受信部３３１とは、前記第１携帯端末１がアップロードしたコンテンツを、通信部３１を通して受信することを制御するものである。
【００６７】  図１に記載されている送信部３３２とは、前記記憶部３２にあるコンテンツを、通信部３１を通して第２携帯端末２へ送信することを制御するものである。
【００６８】  ここからは図１に即して、第１の態様の一実施形態の稼働を説明する。
第１携帯端末１は、当システムで稼働する制御部１８をインストールして利用する。
第２携帯端末２は、当システムで稼働する制御部２８をインストールして利用する。
ちなみに、制御部１８と制御部２８は同一のアプリケーションであるが、当発明を説明するうえで、図１においては制御部１８と制御部２８を別番号で図示している。つまり第１携帯端末１と第２携帯端末２は、同一のアプリケーションをインストールして利用する。
【００６９】  送信端末である第１携帯端末１の利用者と、受信端末である第２携帯端末２の利用者は、それぞれの設定部１８１と２８１にて、お互いを認証してマッチングする為の認証設定を行う。例えば、当人たちのみが知りえる共通の文字列（秘密の合言葉）や、ＩＤとパスワード等を設定したりする。
【００７０】  ユーザーの任意の操作により、第１携帯端末１のデータ取得部１３、カメラ１４、外部メモリ１５等により生成されたり入手されたりした写真や動画等のコンテンツが、記憶部１２に記憶される。
【００７１】  第１携帯端末１内の記憶部１２や外部メモリ１５等に存在するコンテンツの中から、第１携帯端末１の待ち受け画面、及び第２携帯端末２の待ち受け画面に表示する為のコンテンツの種別を、ユーザーが入力部１１を用いて設定部１８１で指定する。
【００７２】  第１携帯端末１内から抽出されたコンテンツを、加工部１８３で加工や編集する為の要件を、ユーザーが入力部１１を用いて設定部１８１で指定する。
【００７３】  前記設定部１８１で指定された条件において、抽出部１８２が、第１携帯端末１内に存在するコンテンツの中から、該当するコンテンツを抽出する。
この抽出対象となるコンテンツは、アプリケーションインストール前に取得又は生成されたものや、アプリケーションインストール後に取得又は生成されたものも含めて、抽出時に携帯端末内に存在する全てのものである。
【００７４】  前記抽出部１８２で抽出されたコンテンツは、設定部１８１で指定された要件にて、加工部１８３で加工や編集される。
この時、特に加工の設定をしていない場合は、加工部１８３での処理は行われない。
【００７５】  前記抽出部１８２で抽出され、加工部１８３で加工されたコンテンツは、送信部１８４にて制御され、無線部１７を通してサーバ３に送信してアップロードされる。
この時前記設定部１８１で加工の設定を行っていなかった場合は、加工部１８３の処理はスキップされる。
【００７６】  抽出部１８２で抽出され、加工部１８３で加工されたたコンテンツは、送信部１８４にて制御され無線部１７からサーバ３へ送信すると同時に、表示部１８６において制御されて、表示画面１６（待ち受け画面等）に表示又は再生される。
【００７７】  第１携帯端末１からサーバ３へ送信されたコンテンツは、サーバ３内の通信部３１通して、受信部３３１で受信される。
【００７８】  前記３３１で受信されたコンテンツは、記憶部３２に記憶される。
【００７９】  記憶部３２に記憶されたコンテンツは、それぞれの設定部１８１と２８１で設定した情報を用いた制御部３３内の認証処理によりマッチングされた送信先が特定される。
【００８０】  送信部３３２の制御により、通信部３１を通して、特定された該当する送信先（第２携帯端末２）へコンテンツが送信される。
【００８１】  前記サーバ３から送信されたコンテンツは、第２携帯端末２内の無線部２７を通して、受信部２８５によって受信される。
【００８２】  前記受信部２８５が受信したコンテンツは、表示部２８６において制御されて、表示画面２６（待ち受け画面等）に表示又は再生される。
【００８３】  ここからは図２のフローチャートを用いて、第１の態様の一実施形態の稼働を、送受信するコンテンツを写真とし、認証方法を文字列からなる秘密の合言葉とした場合を例として、ユーザーの実際の操作を説明する。
利用者Ａは、写真を送信する送信ユーザーである。
利用者Ｂは、送信者Ａが送信する写真を受信する受信ユーザーである。
【００８４】  利用者Ａは、自身の携帯端末に当システムで稼働するアプリケーションをインストールする。（ステップＳ１）
利用者Ｂは、自身の携帯端末に当システムで稼働するアプリケーションをインストールする。（ステップＳ１’）
【００８５】  利用者Ａは、インストールしたアプリケーションの設定メニューで、自身の待ち受け画面と利用者Ｂの待ち受け画面に表示される写真の種別を選択する。（ステップＳ２）
【００８６】  利用者Ａは、インストールしたアプリケーションの設定メニューで、自身の待ち受け画面と利用者Ｂの待ち受け画面に表示される写真の加工要件を設定する。（ステップＳ３）
【００８７】  利用者Ａは、インストールしたアプリケーションの設定メニューで、利用者Ｂが利用者Ａから送信される写真を受信する為の秘密の合言葉を作成して設定する。（ステップＳ４）
【００８８】  利用者Ａは、前記で作成した秘密の合言葉を、利用者Ｂに伝える。（ステップＳ５）
この時の伝達は、対面や、電話や、口頭や、メールや、メッセージングアプリ等、当システム外で行われる。
【００８９】  利用者Ｂは、利用者Ａから教えてもらった秘密の合言葉を、インストールしたアプリケーションの設定メニュー内で設定する。（ステップＳ６）
【００９０】  以上によって、以降利用者Ａの待ち受け画面と利用者Ｂの待ち受け画面上に、同じ写真が自動で同時に表示、再生される。（図５）
【００９１】  なお、前記利用者Ａのコンテンツ種別設定（ステップＳ２）と、コンテンツ加工設定（ステップＳ３）、合言葉設定（ステップＳ４）の順序は、前後してもよい。
【００９２】  次に、図３を用いて、本発明に係るシステムの第２の態様の一実施形態を説明する。
まずは各構成要素についてを説明する。
本システムは、第１携帯端末４と、第２携帯端末５と、サーバ６を備え、第１携帯端末４と、第２携帯端末５の画面に同様の写真や動画等のコンテンツを自動で表示させる仕組みである。
第１携帯端末４と、サーバ６と、第２携帯端末５は、インターネット等の通信ネットワークによって接続され、お互いの通信を可能にしている。
なお図３では、第２携帯端末５は１台のように図示されているが、１つ以上であればその台数に制限はない。
図３は、第１携帯端末４が送信端末となり、第２携帯端末５が受信端末となった場合を図示したものである。
当第２の態様は、「請求項１４」の、抽出処理等をサーバ上で行うシステムのことである。
【００９３】  図３に記載されている第１携帯端末４とは、事業者等の業務用端末ではなく、個人が利用するスマートフォン等の携帯端末のことであり、コンテンツ送信端末を意味する。
【００９４】  図３に記載されている第１携帯端末４は、入力部４１と、記憶部４２と、データ取得部４３と、カメラ４４と、外部メモリ４５と、表示画面４６と、無線部４７と、制御部４８と、を備える。
ちなみに、この各部位のみを備えた携帯端末を意味するのではなく、携帯端末における複数機能部位において、これらの各部位を最低限備えた携帯端末という意味である。
【００９５】  入力部４１と、記憶部４２と、データ取得部４３と、カメラ４４と、外部メモリ４５と、表示画面４６と、無線部４７は、前記「００３８」〜「００４４」で説明した内容と同等である。
なお、経路を分かりやすく図示する為に、無線部４７は二つに分けて記しているだけであり、無線部が二つあるという意味ではない。
【００９６】  図３に記載されている制御部４８とは、前記第１携帯端末４にインストールして利用するアプリケーションであり、制御部４８内の設定に応じて、送信端末になることもでき、受信端末にもなることができる。つまり制御部４８と、制御部５８は同一のアプリケーションであるが、当発明を説明するうえで、図３においては制御部４８と制御部５８を別番号で図示している。
【００９７】  図３に記載されている設定部４８１とは、当装置の各種挙動や動作等を設定するものである。
「コンテンツ種別設定」：自身の携帯端末内（記憶部４２や外部メモリ４５等）からサーバ６にアップロードされたコンテンツの中から、自身の携帯端末の待ち受け画面（表示画面４６）や、その他の携帯端末の待ち受け画面に表示するコンテンツの種別を指定する。例えば、写真や動画等のデータ種別であったり、または特定人物が映っている等の特定条件を満たす写真や動画等である。
「認証設定」：自身の携帯端末（第１携帯端末４）と、その他の携帯端末をマッチングして認証する為の設定をする。例えば、当人達だけが知りえる文字列等からなる秘密の合言葉や、ＩＤ／パスワード等の様々な認証方法である。
「加工設定」：抽出されたコンテンツの編集や加工をする為の内容を設定する。例えば、コンテンツ加工を施すフィルターを設定したり、加工するコンテンツの対象物を指定したりする。
【００９８】  図３に記載されている送信部４８２とは、前記記憶部４２や外部メモリ４５等に記憶されているコンテンツを、無線部４７を通してサーバ６へ送信してアップロードすることを制御するものである。
【００９９】  図３に記載されている受信部４８３とは、サーバ６にあるコンテンツを、無線部４７を通して受信してダウンロードすることを制御するものである。
【０１００】  図３に記載されている表示部４８４とは、前記第１携帯端末４の受信部４８３がサーバ６から受信したコンテンツを、表示画面４６（待ち受け画面等）に表示することを制御するものである。
【０１０１】  図３に記載されている第２携帯端末５とは、事業者等の専用端末等ではなく、個人が利用するスマートフォン等の携帯端末のことであり、コンテンツ受信端末を意味する。
【０１０２】  図３に記載されている第２携帯端末５は、入力部５１と、記憶部５２と、データ取得部５３と、カメラ５４と、外部メモリ５５と、表示画面５６と、無線部５７と、制御部５８と、を備える。
ちなみに、この各部位のみを備えた携帯端末を意味するのではなく、携帯端末における複数機能部位において、これらの各部位を最低限備えた携帯端末という意味である。
【０１０３】  図３に記載されている入力部５１と、記憶部５２と、データ取得部５３と、カメラ５４と、外部メモリ５５と、表示画面５６と、無線部５７は、前記「００３８」〜「００４４」で説明した内容と同等である。
【０１０４】  図３に記載されている制御部５８とは、前記第２携帯端末２にインストールして利用するアプリケーションであり、制御部５８内の設定に応じて、受信端末になることもでき、送信端末にもなることができる。つまり制御部５８と、制御部４８は同一のアプリケーションであるが、当発明を説明するうえで、図３においては制御部５８と制御部４８を別番号で図示している。
【０１０５】  図３に記載されている設定部５８１とは、当装置の各種挙動や動作等を設定するものである。
「コンテンツ種別設定」：自身の携帯端末内（記憶部５２や外部メモリ５５等）からサーバ６にアップロードされたコンテンツの中から、自身の携帯端末の待ち受け画面（表示画面５６）や、その他の携帯端末の待ち受け画面に表示するコンテンツの種別を指定する。例えば、写真や動画等のデータ種別であったり、または特定人物が映っている等の特定条件を満たす写真や動画等である。
「認証設定」：自身の携帯端末（第２携帯端末５）と、その他の携帯端末をマッチングして認証する為の設定をする。例えば、当人達だけが知りえる文字列等からなる秘密の合言葉や、ＩＤ／パスワード等の様々な認証方法である。
「加工設定」：抽出されたコンテンツの編集や加工をする為の内容を設定する。例えば、コンテンツ加工を施すフィルターを設定したり、加工するコンテンツの対象物を指定したりする。
【０１０６】  図３に記載されている送信部５８２とは、前記記憶部５２や外部メモリ５５に記憶されているコンテンツを、無線部５７を通してサーバ６へ送信してアップロードすることを制御するものである。
【０１０７】  図３に記載されている受信部５８３とは、サーバ６にあるコンテンツを、無線部５７を通して受信してダウンロードすることを制御するものである。
【０１０８】  図３に記載されている表示部５８４とは、前記第２携帯端末５の受信部５８３がサーバ６から受信したコンテンツを、表示画面５６（待ち受け画面等）に表示することを制御するものである。
【０１０９】  図３に記載されているサーバ６とは、第１携帯端末４からアップロードされたコンテンツを、第１携帯端末４と第２携帯端末５がダウンロードすることができる手段を有するものである。サーバ６は、通信部６１と、記憶部６２と、制御部６３とを備える。
ちなみに、この各部位のみを備えたサーバを意味するのではなく、サーバにおける複数機能部位において、これらの各部位を最低限備えたサーバという意味である。
【０１１０】  図３に記載されている通信部６１は、有線等によって外部機器との通信を行う。
例えば通信部６１は、制御部６３の制御に応じて、インターネット等の通信ネットワークや、携帯端末の基地局等を介して第１携帯端末４や第２携帯端末５との通信を行う。
なお、経路を分かりやすく図示する為に、通信部６１は二つに分けて記しているだけであり、通信部が二つあるという意味ではない。
【０１１１】  図３に記載されている記憶部６２は  例えば、ＲＯＭ及びＲＡＭ等により構成される。
記憶部６２は、サーバを機能させるための各種プログラム等を記憶する。
記憶部６２は、第１携帯端末４がアップロードした写真や動画等のコンテンツデータを記憶する。
【０１１２】  図３に記載されている制御部６３とは、前記サーバ６内で稼働するプログラムである。
制御部６３は、例えば、ＣＰＵにより構成される。
制御部６３は、記憶部６２に記憶されている各種プログラムを実行することにより、サーバ６に係る機能を統括的に制御する。第１携帯端末４からアップロードされた写真を、第１携帯端末４と第２携帯端末５がダウンロードすることを可能とするために、コンテンツの送受信の制御や、第１携帯端末４と第２携帯端末５のマッチング等の認証の制御等を行う。
【０１１３】  図３に記載されている受信部６３１とは、前記第１携帯端末４がアップロードしたコンテンツを、通信部６１を通して受信することを制御するものである。
【０１１４】  図３に記載されている抽出部６３２とは、第１携帯端末内の設定部４８１で指定したコンテンツ種別を、サーバ６の記憶部６２の中から抽出する手段を有するものである。
【０１１５】  図３に記載されている加工部６３３とは、前記抽出部６３２で抽出されたコンテンツを、前記第１携帯端末内の設定部４８１で設定した要件にて編集や加工する手段を有するものである。
【０１１６】  図３に記載されている送信部６３４とは、前記記憶部６２から前記抽出部６３２によって抽出され、加工部６３３で加工されたコンテンツを、通信部６１を通して、第１携帯端末４と第２携帯端末５へ送信することを制御するものである。
加工を行わない場合は、加工部６３３の処理はスキップされて、抽出部６３２で抽出されたコンテンツが第１携帯端末４と第２携帯端末５へ送信される。
【０１１７】  ここからは図３に即して、第２の態様の一実施形態の稼働を説明する。
第１携帯端末４は、当システムで稼働する制御部４８をインストールして利用する。
第２携帯端末５も、当システムで稼働する制御部５８をインストールして利用する。
ちなみに、制御部４８と制御部５８は同一のアプリケーションであるが、当発明を説明するうえで、図３においては制御部４８と制御部５８を別番号で図示している。
つまり第１携帯端末４と第２携帯端末５は、同一のアプリケーションをインストールして利用する。
【０１１８】  ユーザーの任意の操作により、第１携帯端末４のデータ取得部４３、カメラ４４、外部メモリ４５等により生成されたり入手されたりした写真や動画等のコンテンツが、記憶部４２に記憶される。
【０１１９】  送信端末である第１携帯端末４の利用者と、受信端末である第２携帯端末５の利用者は、それぞれの設定部４８１と５８１にて、お互いを認証してマッチングする為の認証設定を行う。例えば、当人たちのみが知りえる共通の文字列（秘密の合言葉）を入力して設定したり、ＩＤとパスワードを設定したりする。
【０１２０】  第１携帯端末４の記憶部４２内に存在するコンテンツは、第１携帯端末４の送信部４８２にて制御され、無線部４７を通して、サーバ６へ送信してアップロードされる。
この送信対象となるコンテンツは、アプリケーションインストール前に取得又は生成されたものや、アプリケーションインストール後に取得又は生成されたものも含めて、送信時に携帯端末内に存在する全てのものである。
【０１２１】  第１携帯端末４からサーバ６へ送信されたコンテンツは、サーバ６の通信部６１を通して、受信部６３１で受信される。
【０１２２】  前記受信部６３１で受信されたコンテンツは、サーバ６の記憶部６２に記憶される。
【０１２３】  記憶部６２に記憶されたコンテンツは、前記第１携帯端末４内の設定部４８１で指定した条件で、抽出部６３２により抽出される。
【０１２４】  前記抽出部６３２で抽出されたコンテンツは、設定部４８１で指定された要件にて、加工部６３３で加工や編集をされる。この時、特に加工の設定をしていない場合は、加工部６３３での処理は行われない。
【０１２５】  抽出部６３２で抽出され、加工部６３３で加工されたたコンテンツは、それぞれの設定部４８１と５８１で設定した情報を用いた制御部６３内の認証処理によりマッチングされた送信先が特定される。
【０１２６】  送信部６３４の制御により、通信部６１を通して、特定された該当する送信先（第２携帯端末５）と、送信元（第１携帯端末４）へコンテンツが送信される。
【０１２７】第１携帯端末４の受信部４８３と、第２携帯端末５の受信部５８３は、それぞれの無線部４７と５７を通して、コンテンツを受信する。
【０１２８】  第１携帯端末４と第２携帯端末５のそれぞれの受信部４８３と５８３で受信されたコンテンツは、それぞれの表示部４８４と５８４において制御されて、それぞれの表示画面４６と５６に表示又は再生される。
【０１２９】  この第２の態様において、第１携帯端末４がサーバ６にアップロードしたコンテンツを、サーバ６上で抽出や加工を行い、第１携帯端末４のみが受信するようにしてもよい。
【０１３０】  ここからは図４のフローチャートを用いて、第２の態様の一実施形態の稼働を、送受信するコンテンツを写真とし、認証方法を文字列からなる秘密の合言葉とした場合を例として、ユーザーの実際の操作を説明する。
利用者Ａは、写真を送信する送信元ユーザーである。
利用者Ｂは、送信者Ａが送信する写真を受信する受信ユーザーである。
【０１３１】  利用者Ａは、自身の携帯端末に当システムで稼働するアプリケーションをインストールする。（ステップＳ１）
利用者Ｂは、自身の携帯端末に当システムで稼働するアプリケーションをインストールする。（ステップＳ１’）
【０１３２】  利用者Ａは、インストールしたアプリケーションの設定メニューで、利用者Ｂが利用者Ａから送信される写真を受信する為の秘密の合言葉を作成して設定する。（ステップＳ２）
【０１３３】  利用者Ａは、前記で作成した秘密の合言葉を、利用者Ｂに伝える。（ステップＳ３）
この時の伝達は、対面や、電話や、口頭や、メールや、メッセージングアプリ等、当システム外で行われる。
【０１３４】  利用者Ｂは、利用者Ａから教えてもらった秘密の合言葉をインストールしたアプリケーションの設定メニュー内で設定する。（ステップＳ４）
【０１３５】  利用者Ａは、インストールしたアプリケーションの設定メニューで、自身の待ち受け画面と利用者Ｂの待ち受け画面に表示される写真の種別を選択して設定する。（ステップＳ８）
【０１３６】  利用者Ａは、インストールしたアプリケーションの設定メニューで、自身の待ち受け画面と利用者Ｂの待ち受け画面に表示される写真の加工要件を設定する。（ステップＳ１０）
【０１３７】  以上によって、以降利用者Ａの待ち受け画面と利用者Ｂの待ち受け画面上に、同じ写真が自動で同時に表示、再生される。（図５）
【０１３８】  なお、前記利用者Ａの合言葉設定（ステップＳ２）と、コンテンツ種別設定（ステップＳ８）と、コンテンツ加工設定（ステップＳ１０）の順序は、前後してもよい。
【０１３９】  次に、図１と図３を用いて、本発明に係る装置の第３の態様の一実施形態を説明する。
第３の態様は、第１携帯端末内の写真や動画等のコンテンツを第２端末の画面に表示するだけではなく、第２端末内のコンテンツを第１端末の画面にも表示して、双方向に送受信して、双方の画面に双方のコンテンツを表示しあう仕組みである。
当第３の態様は、「請求項１１」と「請求項１８」のことである。
【０１４０】  図１において、第２携帯端末２の抽出部２８２と加工部２８３と送信部２８４と、第１携帯端末１の受信部１８５も稼働させ、第２携帯端２末内のコンテンツを、第１携帯端末１の待ち受け画面にも表示させることにより、第１携帯端末内のコンテンツと、第２携帯端末内のコンテンツを送受信しあって、お互いの待ち受け画面に共通のコンテンツを表示する。
【０１４１】  図３において、第２携帯端末５の送信部５８２も稼働させ、第２携帯端末５内のコンテンツも、サーバ６にアップロードして、アップロードされた第１携帯端末内のコンテンツと、第２携帯端末のコンテンツを、サーバ６から双方の携帯端末に配信してダウンロードすることができるようにすることにより、第１携帯端末内のコンテンツと、第２携帯端末内のコンテンツをお互いに送受信しあって、お互いの待ち受け画面に共通のコンテンツを表示する。
【符号の説明】
【０１４２】  １：第１携帯端末
１１：入力部
１２：記憶部
１３：データ取得部
１４：カメラ
１５：外部メモリ
１６：表示画面
１７：無線部
１８：制御部
１８１：設定部
１８２：抽出部
１８３：加工部
１８４：送信部
１８５：受信部
１８６：表示部
２：第２携帯端末
２１：入力部
２２：記憶部
２３：データ取得部
２４：カメラ
２５：外部メモリ
２６：表示画面
２７：無線部ｏｒ通信部
２８：制御部
２８１：設定部
２８２：抽出部
２８３：加工部
２８４：送信部
２８５：受信部
２８６：表示部
３：サーバ
３１：通信部
３２：記憶部
３３：制御部
３３１：受信部
３３２：送信部
４：第１携帯端末
４１：入力部
４２：記憶部
４３：データ取得部
４４：カメラ
４５：外部メモリ
４６：表示画面
４７：無線部
４８：制御部
４８１：設定部
４８２：送信部
４８３：受信部
４８４：表示部
５：第２携帯端末
５１：入力部
５２：記憶部
５３：データ取得部
５４：カメラ
５５：外部メモリ
５６：表示画面
５７：無線部
５８：制御部
５８１：設定部
５８２：送信部
５８３：受信部
５８４：表示部
６：サーバ
６１：通信部
６２：記憶部
６３：制御部
６３１：受信部
６３２：抽出部
６３３：加工部
６３４：送信部
【図１】
2020149655.tif 000003
【図２】
2020149655.tif 000004
【図３】
2020149655.tif 000005
【図４】
2020149655.tif 000006
【図５】
2020149655.tif 000007
【図６】
2020149655.tif 000008
【図７】
2020149655.tif 000009